(57)【要約】      （修正有）【課題】携帯し易く、使用時には払拭布を簡単に取り出すことができると共に、使用後は収納容器に簡単に収納することが可能な携帯用払拭式クリーナを提供する。【解決手段】携行用品の汚れを払拭するための携帯用払拭式クリーナ１０であって、クリーナ布材１１と、上記クリーナ布材を出し入れ自在に収納しうる収納部１２とを備え、上記クリーナ布材には、上記収納部を貫通して外方に引き出し可能に延出する紐部材１３が固定されている構成とする。【選択図】図１
0003140815.tif 000002
【実用新案登録請求の範囲】
【請求項１】
携行用品の汚れを払拭するための携帯用払拭式クリーナであって、
クリーナ布材と、上記クリーナ布材を出し入れ自在に収納しうる収納部とを備え、
上記クリーナ布材には、上記収納部を貫通して外方に引き出し可能に延出する紐部材が固定されていることを特徴とする携帯用払拭式クリーナ。
【請求項２】
上記収納部は柔軟な素材からなる薄型袋状に形成され、
一端部には開口部を有すると共に他端部には上記紐部材が挿通される孔部を有し、
使用時には折り畳まれた収納された上記クリーナ布材を引き出して使用すると共に収納時には上記紐部材を引くことにより上記クリーナ布材を上記収納部内に収納することを特徴とする請求項１記載の携帯用払拭式クリーナ。
【請求項３】
上記収納部の開口部の端縁部は、他端部方向に向かって膨出する円弧状に形成されていることを特徴とする請求項１または２記載の携帯用払拭式クリーナ。
【請求項４】
上記クリーナ布材は円形に形成され、
上記紐部材は、上記クリーナ布材の中心部に固定されていることを特徴とする請求項１または２記載の携帯用払拭式クリーナ。
【請求項５】
上記収納部は２枚の熱可塑性合成樹脂シートが周縁部においてウェルダー溶着により溶着固定されて形成されていることを特徴とする請求項２〜４いずれか１項に記載の携帯用払拭式クリーナ。
【請求項６】
上記熱可塑性合成樹脂は塩化ビニルであることを特徴とする請求項５記載の携帯用払拭式クリーナ。
【請求項７】
上記収納部は型成形により成形された樹脂素材によって形成されていることを特徴とする請求項１記載の携帯用払拭式クリーナ。
【請求項８】
上記樹脂素材がシリコン樹脂により形成されていることを特徴とする請求項７記載の携帯用払拭式クリーナ。
【考案の詳細な説明】
【技術分野】
【０００１】
本考案は、携帯電話等の小型ディスプレイ、手鏡等等の携行物品の汚れを払拭可能で、携帯が可能な携帯用払拭式クリーナに関する。
【背景技術】
【０００２】
昨今、携帯電話、携帯用端末、及び携帯用ゲーム等、多種の携行物品広く流通している。
上記携行物品は手指等による操作を行うことが多く、手指の油分等によりディスプレイ表面表面や操作部に付着して汚れ易い。
上記のような場合に、ハンカチやティッシュペーパー等で表面を強く払拭すると、ディスプレイ表面等に傷がつく恐れがあり、かつ通常のティッシュペーパー等では油分を含む汚れが落ち難いという不具合を有していた。
【０００３】
上記不具合を解決するために、上記と同質の汚れが付着し易い眼鏡等を払拭する、いわゆる眼鏡拭き用の払拭布を用いることができる。
上記眼鏡拭き用の払拭布は、一般的に微細な繊維で形成されており、上記微細繊維によって埃や油分を含んだ汚れであっても払拭可能となる点において優れている。
しかし上記クリーナ布材は、鞄やポケットにそのまま入れた場合には取り出しにくく、また鞄やポケット内部の汚れが付着してしまい不潔である。従って、そのままの状態で持ち運びしにくいという不具合を有していた。
また、持ち運び専用の小袋等に収納して携帯する場合であっても、使用時において、上記小袋等からの出し入れが非常に面倒であるという別途の不具合をも有していた。
【考案の開示】
【考案が解決しようとする課題】
【０００４】
本考案の課題は、上記の不具合を解決し、携帯し易く、使用時には払拭布を簡単に取り出すことができると共に、使用後は収納容器に簡単に収納することが可能な携帯用払拭式クリーナを提供することである。
【課題を解決するための手段】
【０００５】
上記課題を解決するために、請求項１記載の携帯用払拭式クリーナは、携行用品の汚れを払拭するための携帯用払拭式クリーナであって、クリーナ布材と、上記クリーナ布材を出し入れ自在に収納しうる収納部とを備え、上記クリーナ布材には、上記収納部を貫通して外方に引き出し可能に延出する紐部材が固定されていることを特徴とする。
【０００６】
従って、クリーナ布材を引き出して払拭布として使用後、紐部材を外方に引き出すことで、上記クリーナ布材が収納部内部に紐部材と共に引き込まれて収納される。
【０００７】
また、請求項２記載の携帯用払拭式クリーナは、上記収納部は柔軟な素材からなる薄型袋状に形成され、一端部には開口部を有すると共に他端部には上記紐部材が挿通される孔部を有し、使用時には折り畳まれた収納された上記クリーナ布材を引き出して使用すると共に収納時には上記紐部材を引くことにより上記クリーナ布材を上記収納部内に収納することを特徴とする
【０００８】
従って、使用時は開口部から手指等によりクリーナ布材を挟持して引き出して、引き出し後広げることで払拭布が形成され、使用終了後は上記紐部材を上記挿通孔から外方に引き出すことで上記布材が上記収納部内方に引き込まれて収納される。
【０００９】
また、請求項３記載の携帯用払拭式クリーナは、上記収納部の開口部の端縁部は、他端部方向に向かって膨出する円弧状に形成されていることを特徴とする。
【００１０】
従って、上記開口部から上記クリーナ布材を取り出す際に、クリーナ布材を手指等で挟持し易く、迅速に取り出すことができる。
【００１１】
また、請求項４記載の携帯用払拭式クリーナは、上記クリーナ布材は円形に
形成され、上記紐部材は、上記クリーナ布材の中心部に固定されていることを特徴とする。
【００１２】
従って、上記クリーナ布材が上記収納部に引き込まれる際、上記布材の中心部から周縁部に向かって、均一に上記収納部に引き込まれるため、収納部の内部で上記クリーナ布材が偏らずに折り畳まれて収納される。
【００１３】
また、請求項５記載の携帯用払拭式クリーナは、上記収納部は２枚の熱可塑性合成樹脂シートが周縁部においてウェルダー溶着により溶着固定されて形成されていることを特徴とする。
また、請求項６記載の携帯用払拭式クリーナは、上記熱可塑性合成樹脂は塩化ビニルであることを特徴とする。
【００１４】
また、請求項７記載の携帯用払拭式クリーナは、上記収納部は型成形により成形された樹脂素材によって形成されていることを特徴とする。
また、請求項８記載の携帯用払拭式クリーナは、上記樹脂素材はシリコン樹脂であることを特徴とする。
【考案の効果】
【００１５】
請求項１記載の携帯用払拭式クリーナにあっては、携行用品の汚れを払拭するための携帯用払拭式クリーナであって、クリーナ布材と、上記クリーナ布材を出し入れ自在に収納しうる収納部とを備え、上記クリーナ布材には、上記収納部を貫通して外方に引き出し可能に延出する紐部材が固定されていることから、クリーナ布材の汚れが防止され、かつ紐部材の引き出し操作によって非常に容易にクリーナ布材を収納部収納可能な携帯用払拭式クリーナを提供することができる。
【００１６】
また、請求項２記載の携帯用払拭式クリーナは、上記収納部は柔軟な素材からなる薄型袋状に形成され、一端部には開口部を有すると共に他端部には上記紐部材が挿通される孔部を有し、使用時には折り畳まれた収納された上記クリーナ布材を引き出して使用すると共に収納時には上記紐部材を引くことにより上記クリーナ布材を上記収納部内に収納することから、請求項１の効果に加え、開口部を拡げ易く、収納されたクリーナ布材の取り出し操作が容易である携帯用払拭式クリーナを提供することができる。
また、請求項３記載の携帯用払拭式クリーナは、上記収納部の開口部の端縁部は、他端部方向に向かって膨出する円弧状に形成されていることから、収納されたクリーナ布材を手指等で挟持し易く、よりクリーナ布材の取り出し操作が容易となる。
更に、請求項４記載の携帯用払拭式クリーナにあっては、上記クリーナ布材は円形に形成され、上記紐部材は、上記クリーナ布材の中心部に固定されていることから、収納操作時にクリーナ布材全体が均一な力で引き込まれ、収納部内部においても均一に折り畳まれるため収納されたクリーナ布材が収納部内部で偏ることがない。
従って、クリーナ布材が収納されても収納部が不均一に膨らむことが無く、携帯時の見映えが非常に良いものとなる。
【００１７】
また、請求項５、６記載の携帯用払拭式クリーナは、上記収納部は２枚の熱可塑性合成樹脂シートが周縁部においてウェルダー溶着により溶着固定されて形成されていることから、金枠の変更によって所定のマスコットやキャラクター等、任意の形状に収納部を加工することが可能であり、アクセサリーとしても用いることができる携帯用払拭式クリーナを提供することができる。
【００１８】
また、請求項７、８記載の携帯用払拭式クリーナは、上記収納部は型成形により成形された樹脂素材によって形成されていることから、収納部の形状選択の自由度を向上させることが可能となる。
【考案を実施するための最良の形態】
【００１９】
以下、図面に基づき本考案の実施の形態について説明する。
図１及び図２に示すように、本考案に係る携帯用払拭式クリーナ１０は携行用品の汚れを払拭するための携帯用払拭式クリーナであって、クリーナ布材１１と、上記クリーナ布材１１を出し入れ自在に収納しうる収納部１２とを備え、上記クリーナ布材１１には、上記収納部１２を貫通して外方に引き出し可能に延出する紐部材１３が固定されている。
上記収納部１２は柔軟な素材からなる薄型袋状に形成され、一端部には開口部１４を有すると共に他端部には上記紐部材１３が挿通される孔部１５を有し、使用時には折り畳まれた収納された上記クリーナ布材１１を引き出して使用すると共に収納時には上記紐部材１３を引くことにより上記クリーナ布材１１を上記収納部１２内に収納する。
上記収納部１２の開口部１４の端縁部１６は、他端部方向に向かって膨出する円弧状に形成されている。
また、上記クリーナ布材１１は円形に形成され、上記紐部材１３は、上記クリーナ布材１１の中心部１８に固定されている。
上記収納部１２は塩化ビニルで形成された２枚の熱可塑性合成樹脂シート１２ａ，１２ｂが周縁部２１においてウェルダー溶着により溶着固定されて形成されている。
【実施例１】
【００２０】
上記形態における、本考案に係る携帯用払拭式クリーナの実施例の構成について図面を用いて説明する。
図１は、実施例において携帯時（クリーナ不使用時）における携帯用払拭式クリーナ１０の状態を示している。
図１に示すとおり、クリーナ布材１１は薄型袋状の収納部１２の内部において、上記中心部１８を上記収納部１２の他端部方向に向けて、略扇状に折り畳まれて収納されている。
上記収納部１２の他端部近傍には、上記収納部１２を厚さ方向に貫通した孔部１５が設けられている。
上記紐部材１３は、上記孔部１５から、引き出し自在に上記収納部１２内部に挿通され、両端部が連結された輪状に形成されている。
また、上記収納部１２の外方において吊下げ固定部材１９が上記紐部材１３に貫挿されて取り付けられている。
また図４に示すとおり、上記クリーナ布材１１の中心部１８の近傍には、径方向に近接した２つの後部２０ａ，２０ｂが設けられ、図２に示すとおり、上記紐部材１３を固定するためのリング状の掛合部材１７が上記クリーナ布材１１の孔部２０ａ、２０ｂに挿通して取り付けられている。
上記紐部材１３は、上記収納部１２の内方において上記掛合部材１７に掛合され、上記紐部材１３とクリーナ布材１１とが上記掛合部材１７を介して接続されている。
【００２１】
また、図１のＣ−Ｃ線断面図である図５に示すように、本実施例に係る携帯用払拭式クリーナ１０の収納部１２は、２枚の塩化ビニルシート１２ａ，１２ｂが周縁部２１においてウェルダー溶着によって圧着固定され、全体薄型袋上に形成されている。
【００２２】
実施例１の作用について以下説明する。
図１に示すとおり、携帯用払拭式クリーナ１０を使用する場合は、収納部１２の開口部１４の両端を一方の手の指等で挟持することで開口させ、内部に収納されているクリーナ布材１１を他方の手の指等で挟持する。
この際、開口部１４の端縁部が、収納部１２の他端部に向かって膨出する円弧形に形成されていることから、開口部１４より上記クリーナ布材１１の端部がわずかに突出し、指等で把持しやすい状態となっている。
指等で把持した上記クリーナ布材１１は、図１矢印Ａの方向に引き出すことで、図３に示すとおり、収納部１２より外部に引き出され、この際上記紐部材１３はクリーナ布材１１が引き出された寸法分だけ、上記孔部１５から上記掛合部材１７を介して収納部１２内部に引き込まれる。
図４に示すとおり、引き出された上記クリーナ布材１１を拡開させると、払拭用の布材が形成される。
【００２３】
使用終了時は、図４の状態において、上記紐部材１３を矢印Ｂ方向に引き出すことで、図３に示すとおり、収納部１２の内部に引き込まれていた上記紐部材が外方に引き出され、上記掛合部材１７を介して上記クリーナ布材１１が、次第に扇状に折り畳まれつつ上記開口部１４から上記収納部１２内部に引き込まれ、更に図３の状態から矢印Ｂの方向に上記紐部材を引き出すことにより最終的に図１の状態に戻り上記クリーナ布材１１が収納部１２に収納される。
【００２４】
上記の通り、未使用時においては、収納部１２に収納されることでクリーナ布材１１の汚れや損傷が防止され、使用時においてはクリーナ布材１１の引き出し操作で払拭用の布材が形成されると共に、使用終了時は紐部材１３の引き出し操作を行うことで簡単にクリーナ布材１１を収納部１２に収納することが可能であることから、非常に携帯性に富み、及び使い勝手に優れた携帯用払拭式クリーナ１０が提供される。
【００２５】
また、携帯用払拭式クリーナ１０は、未使用時において上記紐部材１３がストラップ紐の役割を果たすため、上記紐部材１３をそのまま結びつける、若しくは上記吊下げ固定部材１９で吊下げ固定する等で携帯電話（図示せず）等の物品に吊下げて携行することが可能である。
また、本実施例に係る携帯用払拭式クリーナ１０は、開口部１４を有する薄型袋状の収納部１２を有していれば、形状に合わせた型を作成することで容易にウェルダー溶着が可能であるため、例えば図６及び図７に示すように、マスコット等の様々な形状のバリエーション形態をとることが可能である。
更に、収納部１２の表面に装飾印刷等を施すことも可能であり、携行時はアクセサリーとしての効果も得ることができる。
【００２６】
なお、上記実施例１においては、紐部材１３の素材を特に限定していないが、上記紐部材１３にゴム素材等の弾性力を有する素材を使用することもできる。
この場合、紐部材１３の長さ寸法を、上記クリーナ布材１１の引き出し寸法よりも短く設定しておくことによって、クリーナ布材１１が収納部１２から引き出された際に紐部材１３が伸延され、収納部１２の内方に引き込む方向に付勢力が生じる。
このため、使用終了時においては、上記付勢力によって手を離すだけでクリーナ布材１１が自動的に収納部１２内部に収納されるため、クリーナ布材１１の収納操作がより簡単になる。
【実施例２】
【００２７】
実施例１においては、収納部は塩化ビニル素材によって薄型袋状に形成されているが、クリーナ布材を収納しうること、及び上記収納部を貫通して外方に引き出し可能に延出する紐部材が上記クリーナ布材に固定されていることの要件を満たせば、収納部を形成する素材及び形状に特に制約はない。
従って、実施例１に示した薄型袋状の他にもシリコン素材等を型成形によって形成した収納容器であっても、本願発明の効果を得ることが可能である。
【産業上の利用可能性】
【００２８】
本考案は、本考案は、携帯電話等の小型ディスプレイ、手鏡等等の携行物品の汚れを払拭可能で、携帯が可能な携帯用払拭式クリーナに適用することが可能である。
【図面の簡単な説明】
【００２９】
【図１】本発明に係る携帯用払拭式クリーナの一実施の形態を示し、実施例１の形態おける未使用時における携帯用払拭式クリーナの平面図ある
【図２】本発明に係る携帯用払拭式クリーナの一実施の形態を示し、図１の携帯用払拭式クリーナのＤ−Ｄ線従断面図である。
【図３】本発明に係る携帯用払拭式クリーナの一実施の形態を示し、実施例１の形態おける使用時において、クリーナ布材が引き出し途中の状態の携帯用払拭式クリーナの平面図ある。
【図４】本発明に係る携帯用払拭式クリーナの一実施の形態を示し、実施例１の形態おける使用時において、クリーナ布材を引き出して拡開させた状態の携帯用払拭式クリーナの平面図ある。
【図５】本発明に係る携帯用払拭式クリーナの一実施の形態を示し、図１のＢ−Ｂ線における携帯用払拭式クリーナの横断面図である。
【図６】本発明に係る携帯用払拭式クリーナの他の実施の形態を示し、他の実施形態における携帯用払拭式クリーナの平面図。
【図７】本発明に係る携帯用払拭式クリーナの他の実施の形態を示し、他の実施形態における携帯用払拭式クリーナの平面図。
【符号の説明】
【００３０】
１０ 携帯用払拭式クリーナ
１１ クリーナ布材
１２ 収納部
１２ａ  塩化ビニルシート
１２ｂ  塩化ビニルシート
１３ 紐部材
１４ 開口部
１５ 孔部
１６ 開口部１４の端縁部
１７ 掛合部材
１８ クリーナ布材１１の中心部
１９ 吊下げ固定部材
２０ａ 孔部
２０ｂ 孔部
２１  収納部１２の周縁部
【図１】
0003140815.tif 000003
【図２】
0003140815.tif 000004
【図３】
0003140815.tif 000005
【図４】
0003140815.tif 000006
【図５】
0003140815.tif 000007
【図６】
0003140815.tif 000008
【図７】
0003140815.tif 000009